(57)【特許請求の範囲】
【請求項１】
スライサー用ウッド型ゴルフクラブヘッドであって、ライ角及びロフト角通りに構えたときに予めフックフェースとしてフェース面がターゲット方向に対して左向きに被さるように設計されたゴルフクラブヘッドにおいて、
ソール面のフェース側からバックサイド側に至る稜線をターゲット方向に対しトウ側に傾斜して形成し、
この稜線からヒール側のソール面をヒール側の傾斜面とし、トウ側のソール面をトウ側の傾斜面としたとき、アドレス時にヒール側の傾斜面を稜線の方向に沿って地面に接地したときフェース面がターゲット方向に対して開き、アドレスでフェース面の向きがスクウェアとなることを特徴とするゴルフクラブヘッド。
【請求項２】
フッカー用ウッド型ゴルフクラブであって、ライ角及びロフト角通りに構えたときに予めスライスフェースとしてフェース面がターゲット方向に対して右向きに開くように設計されたゴルフクラブにおいて、
ソール面のフェース側からバックサイド側に至る稜線をターゲット方向に対しヒール側に傾斜して形成し、
この稜線からヒール側のソール面をヒール側の傾斜面とし、トウ側のソール面をトウ側の傾斜面としたとき、アドレス時にヒール側の傾斜面を稜線の方向に沿って地面に接地したときフェース面がターゲット方向に対して閉じ、アドレスでフェース面の向きがスクウェアとなることを特徴とするゴルフクラブヘッド。
【請求項３】
円筒の軸線が前記稜線と一致するようにこの円筒の曲面でソール面を形成したことを特徴とする請求項１又は２に記載のゴルフクラブヘッド。
【請求項４】
前記稜線を頂点とする屋根型のソール面を形成したことを特徴とする請求項１又は２に記載のゴルフクラブヘッド。
【発明の詳細な説明】
【０００１】
【発明の属する技術分野】
本発明は、ウッド型ゴルフクラブのヘッド形状の改良に関する。
【０００２】
【従来の技術】
目標の方向に対して打球が右に大きく逸れるスライスや左に大きく逸れるフックの性向に悩むゴルファーが多く存在すると言われているが（但し、右打ちとする。以後同様）、その性向を個性として、クラブ側でその悩みを解決する一つの方法として、クラブヘッドのフェース面の向きをスライスの性向に悩む人にはフックフェース、フックに悩む人にはスライスフェースに形成することが行われている。実際、この方法で取り敢えず満足しているゴルファーが多いのが現状である。
【０００３】
この方法の理屈は、例えば、スライスに悩むゴルファーを例にとれば、スライスの原因は、たとえアドレスの際にフェース面の向きをターゲット方向にスクウエア（垂直）に構えたとしても、クラブをスイングしてボールをインパクトする際にはフェース面の向きがターゲット方向（打球を飛ばす目標方向）に対し右向きに開いているためであるとして、アドレスの際にフェース面の向きがターゲット方向に対して左向きに閉じる様（即ち、フック）に予めヘッドを形成しておいてやれば、インパクトではフェース面の向きがターゲット方向にスクウエアとなって打球が真っ直ぐに飛ぶというものであり、極めて納得出来るものである。
【０００４】
【発明が解決しようとする課題】
しかるに、前記した従来の方法によるクラブでは、ボールを打撃した結果の球筋にのみ重きを置いているために、アドレスの際にヘッドのフェース面の向きがターゲット方向に対して極端にフック（又は、スライス）に見える違和感については目を瞑ってきたといえる。換言すれば、使用者にこの違和感を諦めてもらっているという問題がある。
従って、このような実状に鑑みて、本発明の目的とするところは、スライスやフックの性向を持つゴルファーであってもインパクトでフェース面がスクウエアとなってその性向が矯正され、しかもアドレスでフェース面の向きがスクウエアと成るゴルフクラブヘッドを提供することである。
【０００５】
【課題を解決するための手段】
上記目的を達成するために、本発明に係るゴルフクラブヘッドでは、スライサー用ウッド型ゴルフクラブヘッドであって、ライ角及びロフト角通りに構えたときに予めフックフェースとしてフェース面がターゲット方向に対して左向きに被さるように設計されたゴルフクラブヘッドにおいて、ソール面のフェース側からバックサイド側に至る稜線をターゲット方向に対しトウ側に傾斜して形成し、この稜線からヒール側のソール面をヒール側の傾斜面とし、トウ側のソール面をトウ側の傾斜面としたとき、アドレス時にヒール側の傾斜面を稜線の方向に沿って地面に接地したときフェース面がターゲット方向に対して開き、アドレスでフェース面の向きがスクウェアとなるものである。また、フッカー用ウッド型ゴルフクラブであって、ライ角及びロフト角通りに構えたときに予めスライスフェースとしてフェース面がターゲット方向に対して右向きに開くように設計されたゴルフクラブにおいて、ソール面のフェース側からバックサイド側に至る稜線をターゲット方向に対しヒール側に傾斜して形成し、この稜線からヒール側のソール面をヒール側の傾斜面とし、トウ側のソール面をトウ側の傾斜面としたとき、アドレス時にヒール側の傾斜面を稜線の方向に沿って地面に接地したときフェース面がターゲット方向に対して閉じ、アドレスでフェース面の向きがスクウェアとなるものである。
【０００６】
本発明に係るゴルフクラブヘッドは、このような特徴とされているので、アドレスでの一般的なライ角（尚、種々の身長のゴルファーに対してアドレスでのライ角度の実態を調査すると、身長に拘らずそのライ角度は４０〜５０度の範囲に有る）をとってソ−ル面を接地した所謂アドレス姿勢にヘッドを構えた際には、前記ヒ−ル側の傾斜面が前記稜線の方向に沿って地面に安定して接地する。
【０００７】
この結果、予めフックフェ−スとしてフェ−ス面がタ−ゲット方向に対して左向きに被さるように設計されたクラブヘッドの場合では、前記稜線がタ−ゲット方向に対してトウ側に傾斜されており、アドレス姿勢でヘッドを俯瞰した際にフェ−ス面がタ−ゲット方向に対して開く方向に変位（即ち、右打ちの場合にフェ−ス面がタ−ゲット方向に対して右向きになる。）して接地しフェ−ス面がスクウエアとなることから従来品で問題とされたアドレスでの違和感が緩和されて打ち易いゴルフクラブヘッドを提供する事が出来る。
しかも、インパクトにおいても、フェ−ス面はタ−ゲット方向にスクウエアとなるので、スライス性向の有るゴルファ−であっても打球をタ−ゲット方向に真っ直ぐに飛行させることが出来る。
【０００８】
また、予めスライスフェ−スとしてフェ−ス面がタ−ゲット方向に対して右向きに開くように設計されたクラブヘッドの場合では、前記稜線がタ−ゲット方向に対してヒ−ル側に傾斜されており、アドレス姿勢でヘッドを俯瞰した際にフェ−ス面がタ−ゲット方向に対して閉じる方向に変位（即ち、右打ちの場合にフェ−ス面がタ−ゲット方向対して左向きになる。）して接地しフェ−ス面がスクウエアとなることから同様にアドレスでの違和感が緩和され打ち易いゴルフクラブヘッドを提供する事が出来る。しかも、インパクトにおいても、フェ−ス面はタ−ゲット方向にスクウエアとなるので、フック性向のゴルファ−であっても打球をタ−ゲット方向に真っ直ぐに飛行させることが出来る。
【０００９】
尚、本発明において、正規のライ角、（及び）正規のロフト角とは、ゴルファーがクラブをスイングしてボールを打撃する時点で実現されるべきライ角およびロフト角であり、また著名なＧｏｌｆ  Ｃｌｕｂ  Ｄｅｓｉｇｎ，  Ｆｉｔｔｉｎｇ，  Ａｌｔｅｒｎａｔｉｏｎ＆Ｒｅｐａｉｒ（Ｒａｌｐｈ  Ｍａｌｔｂｙ著）にあるライ角度、ロフト角度の定義によるものであって、ライ角とは、ヘッドを正面（フェース側）から見て、シャフト軸と地面のなす角度、ロフト角とは、トウ側からみたときに、シャフト軸とフェース面のなす角度としており、通常ゴルフクラブのカタログなどに記載されている数値である。
また、ヘッドの正規の姿勢とは、前記正規のライ角及びロフト角が実現されているヘッドの姿勢としている。
【００１０】
更に、本発明においてアドレス姿勢とは、ゴルファーがヘッドのフェ−ス面をティー上又は地面上に置かれたボ−ルに接近対峙させると共に、クラブヘッドを接地してライ角を前記したアドレスでの一般的なライ角にとった際のゴルフクラブの状態としている。
【００１１】
【発明の実施の形態】
図１乃至２に基づいて本発明に係る実施例を以下に説明する。  尚、本発明に係る実施例のヘッドは、その材質をチタニウム合金とし、ヘッド体積を２７０ｃｃ（２７０ｃｍ3）としている。  図１（ａ）は、実施例１のクラブヘッド１が正規の姿勢とされた時の正面図である。即ち、正規のライ角５５度及び正規のロフト角１１度をとってヘッド１が正規の姿勢にセットされた際の正面図である。また、図１（ｂ）は、正規の姿勢とされたヘッド１を下面から視た底面図である。
尚、ウッドクラブの正規のライ角は、通常５５〜５６度に設計されている。従ってまたアドレス姿勢では、正規のライ角より約１０度程度低く構えられる。
【００１２】
本実施例のヘッドは、打球がスライスとなる性向を持つプレ−ヤ−用に設計されており、図１（ｂ）の底面図に示すように、フェ−ス面２がタ−ゲット方向３に垂直な線分に対し５度左向きとなる所謂フックフェ−スに形成されている。
尚、フェース面２がターゲット方向３となす角度は、図１（ｂ）に示されるように、フェース面２のセンター（図心、又は、正規の状態でクラブヘッドを水平面にセットした時にソールの接地点を通る鉛直線とクラブフェースの上下の輪郭線との交点間の距離を等分する点）を通るフェース面２の接線が、ターゲット方向に垂直な線分に対して傾斜する角度とされる。実施例１の場合では、プレーヤー（右打ち）がヘッド１を上方より平面視した場合にフェース面２がターゲット方向に垂直な線分に対して左向きに傾斜されていることになる。
【００１３】
本実施例のヘッド１のソ−ル面２は、図１（ａ）及び（ｂ）に示すように、その軸線の方向がタ−ゲット方向（打球を飛ばす目標方向）３に対して１０度ほど傾斜した半径１２７ｍｍの円筒曲面５で形成されている。従って、ソ−ル面４は、ヒ−ル側の傾斜面６とトウ側の傾斜面７とから構成され、また、図１（ａ）の正面図で水平面８と接するソ−ル面４の最下端の位置９には、図１（ｂ）の底面図に示すように、フェ−ス側１０からバックサイド側１１に到る稜線１２がタ−ゲット方向３に対し１０度ほどトウ１３側に傾斜して形成されている。
また、図１（ｂ）において、この稜線１２からヒ−ル１４側のソ−ル面がヒ−ル側の傾斜面６とされ、トウ１３側のソ−ル面がトウ側の傾斜面７とされている。
【００１４】
本実施例のヘッドはこのように形成されているので、アドレスでの一般的なライ角（４５度±５度）をとりそのソ−ル面を接地してアドレス姿勢にヘッドを構えた際には、前記ヒ−ル側の傾斜面６が前記稜線１２の方向に沿って地面に安定して接地する。
この結果、アドレス姿勢とされたヘッドを俯瞰した際に、ヘッドのフェ−ス面２がタ−ゲット方向に対して開いた（即ち、右打ちの場合にフェ−ス面がタ−ゲット方向対して右向きになる。）状態となって、予めフックフェ−スとしてフェ−ス面がタ−ゲット方向に対して左向きに被さるように設計されたクラブヘッドで従来問題とされて来たアドレスでの違和感が緩和されることとなる。
【００１５】
次に、図２（ａ）、（ｂ）により本発明の実施例２を説明する。
図２（ａ）は、実施例２のクラブヘッド１が正規の姿勢とされた時の正面図である。即ち、正規のライ角５５度及び正規のロフト角１１度をとってヘッド１が正規の姿勢にセットされた際の正面図である。また、図２（ｂ）は、正規の姿勢とされたヘッド１を下面から視た底面図である。
【００１６】
尚、本実施例のヘッド１は、打球がフックとなる性向を持つプレ−ヤ−用に設計されており、図２（ｂ）に示すように、フェ−ス面２がタ−ゲット方向３に垂直な線分に対して５度右向きとなる所謂スライスフェ−スに形成されている。
本実施例のヘッド１のソ−ル面４は、図２（ａ）に示すように、ヒ−ル側の傾斜面６とトウ側の傾斜面７とから構成される三角屋根型に形成されている。また、前記屋根型ソ−ル面の頂点に相当し図２（ａ）で水平面８と接するソ−ル面４の最下端の位置９には、図２（ｂ）の底面図に示すように、フェ−ス側１０からバックサイド側１１に到る稜線１２が、タ−ゲット方向３に対し１０度ほどヒ−ル１４側に傾斜して形成されている。
また、図２（ａ）及び（ｂ）において、この稜線１２からヒ−ル１４側のソ−ル面がヒ−ル側の傾斜面６とされ、トウ１３側のソ−ル面がトウ側の傾斜面７とされている。
【００１７】
従って、本実施例のヘッド１においても、アドレスでの一般的なライ角（４５度±５度）でソ−ル面を接地してヘッドを構えた際には、前記ヒ−ル側の傾斜面が前記稜線の方向に沿って地面に安定して接地し、この結果、ヘッドのフェ−ス面２がタ−ゲット方向に対して閉じた（即ち、右打ちの場合にフェ−ス面がタ−ゲット方向に対して左向きになる。）状態となって、予めスライスフェ−スとしてフェ−ス面がタ−ゲット方向に対して右向きに開いたように設計されたクラブヘッドのアドレスでの違和感が緩和されることとなる。
【００１８】
更に、本発明の効果を確認するために、正規のライ角、ロフト角及びフェ−ス角、ヘッド体積などクラブの主要仕様を同一とした上で、実施例１及び２のヘッドを用いた実施例のクラブと従来のスライサ−用及びフッカ−用に設計されたヘッドを用いた比較例のクラブとをそれぞれ試作して、スライス性向又はフック性向を有するそれぞれ７名のゴルファ−によってスライサ−用またフッカ−用のクラブ別々にアドレス感覚の比較試験を実施した。
試験結果は、スライサ−用クラブ及びフッカ−用クラブ共に、実施例のクラブの方がアドレスでの違和感を生じないという評価が得られた。
【００１９】
尚、前記各実施例では、ターゲット方向に垂直な線分に対するフェ−ス面の角度５度に対してソ−ル面の稜線のターゲット方向に対する傾斜角度を１０度に設定しているが、この関係はソ−ルの形状やフェ−スのリ−ディングエッジからバックサイドに到るソ−ル幅などの違いに応じて適宜に変更して設定される。
而して、その際の要点は、ヘッドのフェ−ス面の角度がフックフェ−スの場合には、前記底面図において、ソ−ル面の稜線の傾斜をフェ−スからバックサイドにかけて左下がり（トウ寄り）とし、逆にスライスフェ−スの場合にはフェ−スからバックサイドにかけて右下がり（ヒール寄り）となるようにすれば良い。
尚、本発明に係るゴルフクラブにおいては、シャフトやグリップラバ−に刻印されるグリップ位置を示す標識は、アドレス姿勢でそれらの標識が正面視出来る様に刻印されていることが好ましい。
【００２０】
【発明の効果】
本発明に係るゴルフクラブヘッドにおいては、ヘッドのフェース面が予めフック又はスライスフェ−スとして設定され、しかもヘッドを底面視した場合に、ソ−ル面を構成するヒ−ル側の傾斜面の下端となってフェ−ス側からバックサイド側に延在する稜線が、タ−ゲット方向に対してトウ側又はヒ−ル側に傾斜してソ−ル面が形成されているので、 アドレス姿勢でソ−ル面を水平な地面上に安定して載置した際にフェ−ス面がターゲット方向に対してスクウエアとなり、従来品で問題とされたアドレスでの違和感が緩和されて打ち易いゴルフクラブヘッドを提供する事が出来る。しかも、インパクトにおいても、フェ−ス面はタ−ゲット方向にスクウエアとなるので、スライス性向又はフック性向の有るゴルファ−であっても打球をタ−ゲット方向に真っ直ぐに飛ばすことが出来る。
【図面の簡単な説明】
【図１】正規の姿勢とされた実施例１のクラブヘッドの正面図（ａ）及び底面図（ｂ）である。
【図２】正規の姿勢とされた実施例２のクラブヘッドの正面図（ａ）及び底面図（ｂ）である。
【符号の説明】
１  （クラブ）ヘッド
２  フェース面
３  ターゲット方向
４  ソール面
５  円筒曲面（図１（ａ））
６  ヒール側の傾斜面
７  トウ側の傾斜面
８  水平面
９  （ソール面の）最下端の位置
１０  フェース側
１１  バックサイド側
１２  稜線
１３  トウ
１４  ヒール
【図１】
0004298874.tif 000002
【図２】
0004298874.tif 000003